(57)【要約】【課題】パーソナルコンピュータから常時通電状態にする必要がある送受信ＦＡＸモデムを独立させ、ＦＡＸの送受信と保存だけを役割とするファクシミリユニットをパーソナルコンピュータと連携させたパソコン連携ファクシミリユニットを提供する。【解決手段】パーソナルコンピュータと別電源を備えることにより常時電話回線を受信する受信手段と、受信手段で受信したデータ信号を保存するデータ信号保存手段とを備えたファクシミリユニットをパーソナルコンピュータに接続し、起動させたパーソナルコンピュータからデータ信号保存手段に保存されたデータ信号を読み出して、パーソナルコンピュータのディスプレイ画面に表示することを特徴とする。【選択図】図２
2011229034.tif 000002
【特許請求の範囲】
【請求項１】
パーソナルコンピュータと別電源を備えることにより常時電話回線を受信する受信手段と、受信手段で受信したデータ信号を保存するデータ信号保存手段とを備えたファクシミリユニットをパーソナルコンピュータに接続し、起動させたパーソナルコンピュータから前記データ信号保存手段に保存されたデータ信号を読み出して、パーソナルコンピュータのディスプレイ画面に表示することを特徴とするパソコン連携ファクシミリユニット。
【請求項２】
前記ディスプレイ画面に表示したデータのうち必要なデータのみを取り出し、パーソナルコンピュータに接続されたプリンタで印刷することを特徴とする請求項１記載のパソコン連携ファクシミリユニット。
【請求項３】
前記データ信号保存手段にデータ信号が保存されたことを知らせるメッセージ確認ＬＥＤを備えたことを特徴とする請求項１記載のパソコン連携ファクシミリユニット。
【発明の詳細な説明】
【技術分野】
【０００１】
本発明は、単独受信機能を有するパソコン連携ファクシミリユニットに関し、特に、常時通電状態にする必要がある送受信ＦＡＸモデムをパーソナルコンピュータから独立させることにより、家庭用パーソナルコンピュータとファクシミリ装置の連携を改善したパソコン連携ファクシミリユニットに関する。
【背景技術】
【０００２】
近年、ファクシミリ装置とパーソナルコンピュータの家庭における普及率は目覚ましいものがある。一般のファクシミリ装置は、原稿の画像を読み取る読取部（イメージスキャナー）、画像データを印刷する印刷部（プリンター）、電話回線に接続する送受信モデム、送受信モデムで受信したデータを保存する保存部（メモリー）、システムを動作状態にする電源部から構成される。
【０００３】
又、家庭用パーソナルコンピュータは、キーボード、ディスプレー、ＣＰＵ本体、ＣＰＵ本体にＵＳＢで接続された外部メモリー、プリンター、スキャナーから構成され、両者とも、受信、保存、印字、読取、送信の機能を全て有している。
【０００４】
一方、両者の重複した機能を統一するため、ファクシミリ機能を内蔵したパーソナルコンピュータが登場し、その構成は、図５に示すように、パーソナルコンピュータ７０にＦＡＸ通信ソフトを組み込み、送受信ＦＡＸモデム７１をパーソナルコンピュータ７０に接続したものである。
【発明の開示】
【発明が解決しようとする課題】
【０００５】
このようなファクシミリ機能を内蔵したパーソナルコンピュータでＦＡＸを受信する場合、パーソナルコンピュータの電源を常時通電状態にして送受信ＦＡＸモデムを待機させておく必要がある。ところが、特に家庭用パーソナルコンピュータの場合は２４時間、３６５日の長時間連続運転をするように設計されてないので、耐久性の問題があった。また、長時間連続運転をすると、消費電力、騒音等の問題が大きかった。
【０００６】
本発明は上記の問題点に鑑みてなされたものであり、パーソナルコンピュータから常時通電状態にする必要がある送受信ＦＡＸモデムを独立させ、ＦＡＸの送受信と保存だけを役割とするファクシミリユニットを家庭用パーソナルコンピュータと連携させたパソコン連携ファクシミリユニットを提供することを目的とする。
【課題を解決するための手段】
【０００７】
上記目的を達成するため、請求項１の発明は、パーソナルコンピュータと別電源を備えることにより常時電話回線を受信する受信手段と、受信手段で受信したデータ信号を保存するデータ信号保存手段とを備えたファクシミリユニットをパーソナルコンピュータに接続し、起動させたパーソナルコンピュータからデータ信号保存手段に保存されたデータ信号を読み出して、パーソナルコンピュータのディスプレイ画面に表示することを特徴とするパソコン連携ファクシミリユニットである。
【０００８】
また、請求項２の発明は、請求項１記載のパソコン連携ファクシミリユニットであって、ディスプレイ画面に表示したデータのうち必要なデータのみを取り出し、パーソナルコンピュータに接続されたプリンタで印刷することを特徴とするものである。
【０００９】
また、請求項３の発明は、請求項１記載のパソコン連携ファクシミリユニットであって、データ信号保存手段にデータ信号が保存されたことを知らせるメッセージ確認ＬＥＤを備えたことを特徴とするものである。
【発明の効果】
【００１０】
請求項１記載のパソコン連携ファクシミリユニットによれば、パーソナルコンピュータと別電源を備えることにより常時電話回線を受信する受信手段と、受信手段で受信したデータ信号を保存するデータ信号保存手段とを備えたファクシミリユニットをパーソナルコンピュータに接続し、起動させたパーソナルコンピュータからデータ信号保存手段に保存されたデータ信号を読み出して、パーソナルコンピュータのディスプレイ画面に表示するので、常時、パーソナルコンピュータの電源を通電状態にする必要はない。
【００１１】
また、ディスプレイ画面に表示したデータのうち必要なデータのみを取り出し、パーソナルコンピュータに接続されたプリンタで印刷することができるので、パソコン連携ファクシミリユニットにプリンタ機能をもつ必要はない。
【００１２】
さらに、データ信号保存手段にデータ信号が保存されたことを知らせるメッセージ確認ＬＥＤを備えたので、データ信号が保存されたことを事前に知ることができる。
【図面の簡単な説明】
【００１３】
【図１】本発明のパソコン連携ファクシミリユニットのシステム構成図である。
【図２】同、ファクシミリユニットのブロック図である。
【図３】同、受信動作の説明図である。
【図４】同、送信動作の説明図である。
【図５】従来の送受信ＦＡＸモデムを用いたシステム構成図である。
【発明を実施するための最良の形態】
【００１４】
以下、本発明に係るパソコン連携ファクシミリユニットの実施の形態を、図面を参照しながら説明する。
【実施例】
【００１５】
図１に示したパソコン連携ファクシミリユニットのシステム構成図において、１は常時通電状態にする必要がある送受信ＦＡＸモデムをパーソナルコンピュータから独立させたファクシミリユニット（以下、ＰＣ−ＦＡＸ）、２は家庭用パーソナルコンピュータであり、両者はＵＳＢケーブルで接続されている。家庭用パーソナルコンピュータ２はＣＰＵ制御部、主メモリを搭載した主装置２１、ディスプレイ２２、キーボード２３を備え、外部記憶装置（メモリー）３、プリンター４、スキャナー５がＵＳＢケーブルで接続されている。
【００１６】
ＰＣ−ＦＡＸ１は、図２に示したように、ＦＡＸ信号、データ信号を相互に変換して送受信するＦＡＸモデム部（送信手段１１、受信手段１２）と、ＦＡＸ信号から変換されたデータ信号を保存するデータ信号保存手段（メモリ）１３と、データ信号保存手段１３にデータ信号が保存されたことを知らせるメッセージ確認ＬＥＤ１４と、ＰＣ−ＦＡＸ１を常時通電状態にする電源部１５とを備えている。ＦＡＸモデム部（送信手段１１、受信手段１２）は外線（ＦＡＸ回線）ＦＸに接続され、電源部１５は商用電源ＡＣに接続されている。
【００１７】
次に、ＦＡＸ信号を受信する動作を、図３を用いて説明する。ＰＣ−ＦＡＸ１は電源部１５が商用電源ＡＣに接続され常時通電状態となっている。一方、パーソナルコンピュータ２は必要に応じて電源が投入される。ＦＡＸ回線ＦＸから着信があると、ＦＡＸモデム部受信手段１２でＦＡＸ信号を受信しデータ信号に変換される。変換されたデータ信号は、受信日、受信時間、相手方電話番号とともにデータ信号保存手段（メモリ）１３に順次記憶され、メッセージ確認ＬＥＤ１４が点灯する。
【００１８】
一方、パーソナルコンピュータ２の電源を投入するとファクシミリ連携ソフトが立ち上がり、自動的にＰＣ−ＦＡＸ１のデータ信号保存手段（メモリ）１３にアクセスし、保存メモリ１３に記憶されたデータを閲覧し、パーソナルコンピュータ２のディスプレイで表示する。ディスプレイに表示されたＦＡＸ内容を確認し、必要なものはプリンター４で印刷する。必要なければその場で削除することもできる。
【００１９】
なお、メッセージ確認ＬＥＤ１４が点灯しているか、または、点灯していないかで保存メモリ１３にデータ信号が保存されているかを事前に知ることができるので、点灯していることを確認してパーソナルコンピュータ２の電源を投入できるので更に便宜となる。
【００２０】
次に、ＦＡＸ信号を送信する動作を、図４を用いて説明する。送信する原稿が文字データだけの場合は、パーソナルコンピュータ２の文書作成ソフトを使って、送信する原稿を作成し、パーソナルコンピュータ２の外部記憶装置（メモリー）３に保存する。送信する原稿が文字データだけでなく、絵や図面を含む場合は、スキャナー５を使って、送信する原稿をパーソナルコンピュータ２に取り込み外部記憶装置（メモリー）３に保存する。
【００２１】
手動で送信操作をする場合、送信する原稿を選択し、相手方電話番号を付してＰＣ−ＦＡＸ１を経由してＦＡＸ回線ＦＸに送る。また、自動で送信操作をする場合、送信する原稿を選択し、相手方電話番号、送信時間を指定する。指定時間になると相手方電話番号を参照して送信する原稿をＦＡＸ回線ＦＸに送る。
【００２２】
なお、ＰＣ−ＦＡＸ１とパーソナルコンピュータ２の接続はＵＳＢケーブルで接続されていると説明したが、無線で接続することも可能であり、その場合は、ＰＣ−ＦＡＸ１とパーソナルコンピュータ２の距離が離れていても問題はない。また、パーソナルコンピュータ２と外部記憶装置（メモリー）３、プリンター４、スキャナー５の接続もＵＳＢケーブルに限定されることはなく、従来のパラレル接続、或いは、接続スピードを速くできる高速ケーブル等を用いて接続することもできる。
【００２３】
以上の説明から明らかなように、本発明のパソコン連携ファクシミリユニットは、パーソナルコンピュータと連携させたので、印刷、原稿読取は、パーソナルコンピュータのプリンタ、スキャナーを利用することができ、従来のファクシミリ装置に比べ、機器自体の大きさを小さくすることができるとともにコストも大幅に削減することができる。
【００２４】
更に、パーソナルコンピュータと別電源を備えることにより常時電話回線を受信できるので、パーソナルコンピュータの電源を常時通電状態にする必要はなく、家庭用パーソナルコンピュータであっても、耐久性、消費電力、騒音等の問題がなくなる。
【符号の説明】
【００２５】
１  ファクシミリユニット（ＰＣ−ＦＡＸ）
１１  送信手段（ＦＡＸモデム部）
１２  受信手段（ＦＡＸモデム部）
１３  データ信号保存手段（メモリ）
１４  メッセージ確認ＬＥＤ
１５  電源部
２  パーソナルコンピュータ
３  外部記憶装置（メモリー）
４  プリンター
５  スキャナー
【図１】
2011229034.tif 000003
【図２】
2011229034.tif 000004
【図３】
2011229034.tif 000005
【図４】
2011229034.tif 000006
【図５】
2011229034.tif 000007